(57)【要約】【課題】  まつ毛に十分なボリューム感を付与し得るマスカラ塗布具を提供すること。【解決手段】  マスカラ化粧用具３３は、マスカラ薬剤を収容した容器３１と、該マスカラ薬剤中に塗布部が浸漬されているマスカラ塗布具１０とを備える。マスカラ薬剤は、角速度が１〜１０rad/secにtanδのピーク値を有する非ニュートン流体性のものある。マスカラ塗布具１０の前記塗布部は塗布部軸とクシ歯とから構成される。クシ歯２０は、ショア硬さ（Ａ）が４５〜８５であるエラストマーで構成されており、且つ環状片と突出片が一体で形成されている。【選択図】    図２
2006305190.tif 000002
【特許請求の範囲】
【請求項１】
マスカラ薬剤を収容した容器と、該マスカラ薬剤中に塗布部が浸漬されているマスカラ塗布具とを備えたマスカラ化粧用具であって、
前記マスカラ薬剤は、角速度が１〜１０rad/secにtanδのピーク値を有する非ニュートン流体性のものあり、
前記マスカラ塗布具の前記塗布部は塗布部軸とクシ歯とから構成され、
前記クシ歯は、ショア硬さ（Ａ）が４５〜８５であるエラストマーで構成されており、且つ環状片と突出片が一体で形成されているマスカラ化粧用具。
【請求項２】
前記エラストマーがポリエステルエラストマー又はポリウレタンエラストマーである請求項１記載のマスカラ化粧用具。
【発明の詳細な説明】
【技術分野】
【０００１】
本発明はマスカラ化粧用具に関する。
【背景技術】
【０００２】
マスカラ薬剤は従来、まつ毛に対してカール効果を訴求する物が多かったが、近年はそれに加えボリューム感も要望されるようになってきている。ボリューム感を出すために、従来はまつ毛一本一本にマスカラ薬剤を塗布し、個々のまつ毛を太らせる工夫をしていた。
【０００３】
まつ毛一本一本にマスカラ薬剤を塗布するためには、それに最適なマスカラ薬剤の処方を検討する必要があり、また、そのように処方されたマスカラ薬剤の機能を十分に引き出し得るマスカラ塗布具の検討が必要である。従来のマスカラ塗布具としては例えば、塗布棒の先端側から軸方向に沿って一定間隔をなす多数位置のそれぞれにクシ歯を設けたものが知られている（特許文献１参照）。
【０００４】
前記のマスカラ塗布具においては、クシ歯は、塗布棒の外周を構成する塗布部軸の外周に設けられている。また、塗布部軸の周方向に沿って一定間隔をなす複数位置のそれぞれに突出片が設けられ、各突出片が塗布部軸の径方向の外方に突出している。マスカラ塗布具のクシ歯をマスカラ容器に浸漬し、このクシ歯に付着したマスカラ薬剤の過剰分を該容器のしごき弁でしごき落とし、適量のマスカラ薬剤をクシ歯間に保持させる。
【０００５】
【特許文献１】特表２００２−５３８８６８
【発明の開示】
【発明が解決しようとする課題】
【０００６】
前記のマスカラ塗布具は、マスカラ薬剤を収容する容器に挿入されたクシ歯に薬剤を付着させ、このクシ歯を容器から引き抜く際、クシ歯をしごくしごき弁で薬剤付着量を調整している。まつ毛にボリューム感を付与するためには、クシ歯への薬剤付着量を多くする必要がある。しかし薬剤付着量が多すぎると、薬剤がダマになる、まつ毛の根元から塗布できないなどの不都合がある。また付着量が多いことに起因して薬剤の乾燥速度が遅くなる。乾燥速度を早くするために、クシ歯への薬剤付着量を少なくすると、まつ毛への薬剤付着量が少なくなるので、十分なボリューム感を付与できない。更に、カール効果やロング感も付与できない。
【０００７】
従って本発明の目的は、前述した従来技術が有する欠点を解消し得るマスカラ塗布具を有する化粧用具を提供することにある。
【課題を解決するための手段】
【０００８】
本発明は、マスカラ薬剤を収容した容器と、該マスカラ薬剤中に塗布部が浸漬されているマスカラ塗布具とを備えたマスカラ化粧用具であって、
前記マスカラ薬剤は、角速度が１〜１０rad/secにtanδのピーク値を有する非ニュートン流体性のものあり、
前記マスカラ塗布具の前記塗布部は塗布部軸とクシ歯とから構成され、
前記クシ歯は、ショア硬さ（Ａ）が４５〜８５であるエラストマーで構成されており、且つ環状片と突出片が一体で形成されているマスカラ化粧用具を提供することにより前記目的を達成したものである。
【発明の効果】
【０００９】
本発明のマスカラ化粧用具によれば、まつげを複数本（個人差も含んで３〜１０本）きれいにまとめることができ、その状態でまつげの根元より十分なボリューム感を付与することができる。特に、マスカラ薬剤によってまつ毛を複数本まとめてかつ保持量を多くしても、ダマが発生しにくく、また該薬剤のボタ付きが起こりにくい。
【発明を実施するための最良の形態】
【００１０】
以下本発明を、その好ましい実施形態に基づき説明する。本発明におけるマスカラ塗布部は、高粘度のマスカラ薬剤を塗布することに特に適合したものである。そのようなマスカラ塗布部を有するマスカラ塗布具の一実施形態が図１ないし図３に示されている。
【００１１】
図１に示すように、マスカラ塗布具１０は、塗布棒１１の先端部に塗布ヘッド１２を有している。塗布ヘッド１２には、クシ歯２０が、塗布棒１１の軸方向に沿って略一定間隔をおいて複数設けられている。マスカラ塗布具１０は、例えば、塗布棒１１の先端芯棒１１Ａの周囲に、インサート成形によって、塗布ヘッド１２を射出成形して製作される。
【００１２】
塗布ヘッド１２においては、図２及び図３に示すように、塗布棒１１の先端芯棒１１Ａの全長にわたり、該先端芯棒１１Ａの外周に、塗布部軸２１が被着されている。塗布部軸２１の外周にはクシ歯２０が設けられている。各クシ歯２０は、環状片２２と突出片２３を有する。環状片２２は、塗布部軸２１の軸方向に沿って略一定間隔をおき、該塗布部軸２１の外周に複数設けられている。塗布部軸２１の軸方向において隣り合う環状片２２の間隔は、後述する環状溝１３の溝幅と一致する。突出片２３は、環状片２２の周方向に沿って略一定間隔をなす複数位置に設けられている。また突出片２３は、環状片２２の径方向の外方に突出している。本実施形態では、クシ歯２０が、８個の突出片２３を備える星形状の形状になっている。
【００１３】
なお、塗布部軸２１を、塗布棒１１の先端芯棒１１Ａに確実に固定するために、先端芯棒１１Ａの表面に、凹凸やその周方向に延びる溝を１本又は複数本形成することが好ましい。これによって、インサート成形時に、塗布部軸２１の構成材料が前記の溝内に充填され、塗布部軸２１と先端芯棒１１Ａとが係合する。また、先端芯棒１１Ａの表面に凸部を形成した場合は、その凸部がインサート成形時に金型に保持されるため、塗布ヘッドの成形時に射出圧力による影響で発生する先端芯棒１１Ａと塗布部軸２１との芯ぶれを防止する効果もある。
【００１４】
図３に示すように、塗布部軸２１の軸方向において隣り合うクシ歯２０間には、塗布部軸２１のまわりに環状溝１３が形成される。具体的には、環状溝１３は、相隣り合う一方のクシ歯２０の環状片２２及び突出片２３と、他方のクシ歯２０の環状片２２及び突出片２３とによって形成される。環状溝１３の底部の幅は好適には０．２〜０．８ｍｍである。後述するように、環状溝１３にはマスカラ薬剤が保持される。
【００１５】
クシ歯２０の形状は、環状溝１３に保持されるマスカラ薬剤の量や、まつ毛のコーミング効果に影響を及ぼす。この観点から、塗布部軸２１に沿ってクシ歯２０を正面視した状態で測定された、クシ歯２０の環状片２２及び突出片２３の全表面積Ｚ０に対する、当該クシ歯２０の環状片２２の全表面積Ｚ１の比率Ｚ１／Ｚ０は２０〜５０％、特に２０〜４０％であることが好ましい。なお、Ｚ０は４．５〜２６ｍｍ2（例えば９．９ｍｍ2）であることが好ましく、Ｚ１は１．５〜６ｍｍ2（例えば２．７ｍｍ2）であることが好ましい。
【００１６】
本実施形態のマスカラ塗布具１０では、塗布部軸２１の外周に、環状片２２及び突出片２３が一体に形成されたクシ歯２０が設けられて、塗布ヘッド１２が形成されている。クシ歯２０の厚みは、０．１５〜０．６ｍｍとすることが好ましい。クシ歯２０の厚みとは、環状片２２と突出部２３の長さを合わせた中心部の厚みをいう。
【００１７】
塗布ヘッド１２は、塗布部軸２１の軸方向に沿う先端側を除く一定の長さ範囲で、隣り合う突出片２３の外径を略同一にしている。これと共に、先端側の一部の長さ範囲で、突出片２３の外径を最先端側に向けて縮径するテーパ状としている。これによって、マスカラ薬剤が収容された容器へのマスカラ塗布具１０の挿入性を良好にしている。また、目じりや目頭側のまつ毛に薬剤を塗布しやすい形状としている。
【００１８】
また、突出片２３の外径寸法を連続的もしくは部分的に変えることにより、塗布部ヘッド１２の外輪郭形状を、例えばひょうたん型や凹凸型にすることができる。この場合、突出片２３の外径寸法が小さい部分は、外形寸法が大きい部分よりも、しごき弁にしごかれた後のマスカラ薬剤の保持量を多くできボリューム効果を上げることができる。また、外形寸法が大きい部分は、マスカラ薬剤が保持される量が少ないため、まつ毛を梳きやすくなる。
【００１９】
塗布ヘッド１２におけるクシ歯２０の硬さ（軟らかさ）は、まつ毛のコーミング効果に影響を及ぼす。特に、マスカラ薬剤が高粘度である場合には、その影響が顕著になる。クシ歯２０が軟らかすぎると、高粘度のマスカラ薬剤の粘弾性にクシ歯２０が抗しきれず、過度に変形してしまい、コーミング効果が低下する。逆に、クシ歯２０が硬すぎても十分なコーミング効果が得られない。これらの観点から、本実施形態においては、クシ歯２０の環状片２２及び突出片２３のショア硬さ（Ａ）を４５〜８５、特に５０〜８０とすることが好ましく、それによってマスカラ薬剤の貯留機能とコーミング効果を併せ持つことができる。なお以下の説明では、ショア硬さ（Ａ）を便宜的にショア硬さと略称する。
【００２０】
本実施形態において、クシ歯２０のショア硬さは、ＪＩＳ  Ｋ７２１５に従い、タイプＡデュロメータを用いてクシ歯素材をシートに形成して測定した。
【００２１】
クシ歯２０のショア硬さは、該クシ歯２０を構成する材料を適切に選定することで、前記範囲内に調整することができる。当該材料としてはエラストマー材料を用いることが、マスカラ薬剤の貯留機能と高いコーミング効果を得られる点から好ましい。エラストマー材料としては、分子中にゴム弾性を発現する柔軟性部分（ソフトセグメント、非晶質部分）と、塑性変形を防止するための分子拘束部分（ハードセグメント、結晶質部分）を有する熱可塑性エラストマーを用いることが好ましい。
【００２２】
熱可塑性エラストマーとしては、ポリエステルエラストマーやポリウレタンエラストマーが好適なものとして例示される。ポリエステルエラストマーは、ハードセグメントにエステル結合を有し、ソフトセグメントにポリエステル、ポリエーテル等を有する。ポリウレタンエラストマーは、ハードセグメントにウレタン結合を有し、ソフトセグメントにポリエーテル、ポリエステル、カプロラクトン、ポリカーボネート等を有する。
【００２３】
ポリエステルエラストマーにおけるハードセグメントは、芳香族カルボン酸と脂肪族アルコールとのエステル結合を有することが好ましい。例えば芳香族カルボン酸としてテレフタル酸を用い、脂肪族アルコールとしてブチレングリコールを用いて形成されたエステル結合を有するハードセグメントを挙げることができる。一方ソフトセグメントは、数平均分子量５００〜２０００の脂肪族ポリエーテルや脂肪族ポリエステルを有することが好ましい。
【００２４】
ポリウレタンエラストマーにおけるハードセグメントのイソシアネートは、芳香族ジイソシアネート由来のものであることが好ましい。芳香族ジイソシアネートとしては、例えばトリレンジイソシアネートや、ジフェニルメタンジイソシアネートが挙げられる。ハードセグメントの鎖延長剤はエチレングリコール、1.4ブタンジオール、1.6ヘキサンジオール等の分子量が６０から１２０のグリコールが挙げられる。一方、ソフトセグメントのポリオール成分は、分子量が５００〜４０００特に７００〜３０００の脂肪族ポリエステルポリオールやポリエーテルポリオールが用いられる。特に、ポリエステルポリオール由来のものであることが好ましい。
【００２５】
本実施形態のマスカラ塗布具１０を用いたまつ毛へのマスカラ薬剤の塗布は、図４（Ａ）ないし（Ｆ）に示す手順で行われる。
（１）マスカラ塗布具１０の塗布ヘッド１２のクシ歯２０を、マスカラ薬剤が収容された容器（図示せず）に浸漬し、各クシ歯２０に付着したマスカラ薬剤の過剰付着分を該容器のしごき弁（図示せず）によってしごき落とす。マスカラ塗布具１０は、軸方向で隣り合うクシ歯２０の間に形成された環状溝１３、特にそれらクシ歯２０の環状片２２、及び突出片２３の基端部の間にマスカラ薬剤を貯留する。
【００２６】
（２）次に図４（Ａ）に示すように、マスカラ塗布具１０の隣り合うクシ歯２０，２０の環状溝１３にまつ毛を適確に誘導し、隣り合う突出片２３，２３の間にまつ毛を通過させる。それによって、環状溝１３に貯留されているマスカラ薬剤にまつ毛を付着させる。
【００２７】
（３）クシ歯２０のまぶたに対する距離Ｌ（図４（Ａ））を小さくし、まつ毛の根元からマスカラを塗布する（図４（Ｂ））。
【００２８】
（４）クシ歯２０を上まつ毛に対して上方に移動させ（図４（Ｃ））、クシ歯２０の環状片２２、及び突出片２３の基端部の間に貯留されているマスカラ薬剤をまつ毛に塗布する（図４（Ｄ）及び（Ｅ））。これによって、まつ毛の根元から先端にまでマスカラ薬剤を塗布できる（図４（Ｆ））。
【００２９】
本実施形態のマスカラ塗布具１０は、角速度が１〜１０rad/secにtanδのピーク値を有する非ニュートン流体性を示すマスカラ薬剤の塗布に特に適合したものである。該薬剤と該塗布具１０との組み合わせによって、まつ毛へのマスカラ薬剤の付着量を容易に高めることができ、まつ毛に十分なボリューム感を付与することができる。特に、マスカラ薬剤によってまつ毛が複数本まとまっても、ダマが発生しにくく、また、該薬剤のボタ付きが起こりにくい。その結果、まつ毛が複数本きれいにまとまった状態でボリューム感を出すことができる。従来のマスカラ薬剤やマスカラ塗布具の設計方針は、まつ毛一本一本に薬剤を多量に塗布してボリューム感を高めることに主眼がおかれてきた。まつ毛が複数本まとまるようにマスカラ薬剤を塗布したのでは、ダマが発生し易く、また、該薬剤のボタ付きが起こりやすかったので、まつげを複数本まとまるように塗布する方法は好ましくないものとされてきた。これに対して、本発明者らは意外にも、本実施形態のマスカラ塗布具１０を、角速度が１〜１０rad/secにtanδのピーク値を有する非ニュートン流体性を示すマスカラ薬剤と組み合わせることで、まつ毛が複数本まとまった状態であってもきれいにボリューム感が出ることを知見した。まつ毛を複数本まとめることでボリューム感を出せるとは、当該技術分野において考えられていなかった。
【００３０】
本実施形態のマスカラ塗布具１０は、図５に示すように、マスカラ薬剤３０を収容した容器３１内に挿入されており、該塗布具１０の塗布部１２がマスカラ薬剤３０中に浸漬されている状態で用いられる。マスカラ塗布具１０の塗布棒１１の後端部は、容器３１のキャップを兼ねるキャップ部材３２に固着されている。これらの各部材からマスカラ化粧用具３３が構成されている。容器３１の内部には、しごき部材３４が取り付けられている。しごき部材３４は、マスカラ薬剤３０が付着した塗布部１２を容器３１から取り出すときに、余分なマスカラ薬剤３０をしごき取るために用いられる。しごき部材３４は、例えばゴム等の弾性材料からなる板状部材であって、マスカラ塗布具１０の通過が可能な大きさの開口が形成されたものである。
【００３１】
マスカラ塗布具１０と組み合わせて用いられる好適なマスカラ薬剤３０は高粘度のものである。具体的には２５℃における粘度が好ましくは１００，０００〜１，０００，０００ｍＰａ・ｓ、更に好ましくは１５０，０００〜７００，０００ｍＰａ・ｓの高粘度のものが用いられる。マスカラ薬剤の粘度および粘弾性は、下記の方法で測定される。
粘度測定条件；使用機器：Ｂ型粘度計（（株）東京計器製：BR8、ロータータイプ：T-D（ヘリカル）、回転数：５ｒｐｍ（基本） 、測定時間：６０秒、測定温度：２５℃）
粘弾性の測定方法；使用機器：Physica Messtechnik GmbH社製  コーンプレート（ギャップ０．０５ｍｍ）、測定温度：25℃、ひずみ一定(1%)、角速度：１〜６２８rad/sec(100Hz)
【００３２】
マスカラ薬剤は、角速度が１〜１０rad/secにtanδのピーク値を有する非ニュートン流体性を示すことが重要である。マスカラ薬剤が非ニュートン流体性を示すためには、薬剤の処方を適宜調整すればよい。特にマスカラ薬剤を、油中水型乳化組成物（Ｗ／Ｏエマルジョン）形態とし、増粘剤を添加することで、非ニュートン流体性となすことができる。
【００３３】
以上説明したマスカラ塗布具とマスカラ薬剤を組み合わせたマスカラ化粧用具によって以下の作用効果が奏される。
（ａ）マスカラ塗布具１０のクシ歯２０を、角速度が１〜１０rad/secにtanδのピーク値を有する非ニュートン流体性を示すマスカラ薬剤を収容した容器３３に浸漬し、このクシ歯２０に付着したマスカラの過剰分を容器３３のしごき弁３４によりしごき落としたとき、軸方向で相隣り合うクシ歯２０の間、主にそれらクシ歯２０の環状片２２、及び突出片２３の基端部（根元側）の間に適量のマスカラ薬剤３０を貯留できる。従来、マスカラ薬剤が高粘度の場合には、しごき弁によってしごき落とされる薬剤量が少なくなり、クシ歯間に多量の薬剤が貯留されるので、薬剤のボタ付きが起こりやすく、またダマも発生しやすかった。更に、コーミング効果が得られない等の問題もあった。しごき効果を上げるために、しごき弁の硬度を上げたり、しごき弁の径を小さくしたりして対応しようとすると、薬剤の保持量を安定的にすることが困難であるばかりでなく、容器から塗布具を引き抜くときに、大きな力が必要となり操作性が悪くなった。
【００３４】
マスカラ塗布具１０のクシ歯２０は、環状片２２と突出片２３の一体からなる。クシ歯２０を、角速度が１〜１０rad/secにtanδのピーク値を有する非ニュートン流体性を示すマスカラ薬剤３０を含有する容器３３に浸漬し、このクシ歯２０に付着した薬剤３０の過剰分を容器３３のしごき弁３４によってしごき落としたとき、突出片２３は、折りたたまれたようにしごき弁３４を通過するので、薬剤３０が高粘度でも十分にしごかれる。これとは対照的に、環状片２２はしごき弁通過時に折りたたまれない。従って、隣り合う環状片２２間に適度な量のマスカラ薬剤３０が貯留される。その結果、マスカラ薬剤３０をクシ歯２０の環状片２２、及び突出片２３の基端部（根元側）の側に安定的に貯留でき、マスカラ薬剤３０のまつ毛への塗布性を向上させ得る。まつ毛の根元に塗布し易くなる。
【００３５】
（ｂ）クシ歯２０の突出片２３の自由端部はマスカラ薬剤３０を実質的に貯留しない。従って、軸方向で相隣り合うクシ歯２０の突出片２３における自由端部の間の環状溝１３の周方向任意位置に、まつ毛複数本を容易に誘導させ得る。また、まつ毛に対して面状で摺動することで、梳き作用が一層効果的になる。
【００３６】
（ｃ）マスカラ塗布具１０は、環状片２２と環状片２２の間をマスカラ薬剤３０の主貯留部とするものである。クシ歯２０の環状片２２および突出片２３の側面は、コーミングする際の動作方向が同じなので、マスカラ薬剤３０とまつ毛との接触が容易になる。その結果、マスカラ薬剤３０を、まつ毛の根元まで塗布し易くできる。
【００３７】
（ｄ）クシ歯２０の突出片２３が、塗布部軸２１の軸を含む正面視で自由端に向かって先細（先薄）をなすから、クシ歯２０を容器３３のしごき弁３４でしごくとき、突出片２３の自由端を十分にたわみ変形させることができる。その結果、クシ歯２０の先端部に余分なマスカラ薬剤３０を付着させないようにできる。突出片２３に余分なマスカラ薬剤３０を付着させなくすることによって、まつ毛をクシ歯３０間に誘導しやすくなる。従って、速やかにマスカラ薬剤３０をまつ毛に付着させることができるとともに、コーミング機能が効果的に発揮される。
【００３８】
（ｅ）クシ歯２０の素材のショア硬さを４５〜８５、クシ歯２０の厚みを０．１５〜０．６ｍｍとすることにより、まつ毛に対してやさしい梳きの感触を与えることができる。また、クシ歯２０を容器３３のしごき弁３４でしごくとき、容器３３からの引き抜き強度を抑えることができるので操作性が良い。また、引き抜き強度を４０ｇ〜１２０ｇにすることで、操作性が一層良くなる。
【００３９】
（ｆ）クシ歯２０における塗布部軸２１の正面視で、クシ歯２０の全表面積Ｚ０に対し、当該クシ歯２０の全環状片２２の表面積Ｚ１がなす比率Ｚ１／Ｚ０を２０〜５０％とすることにより、マスカラ薬剤の貯留機能とコーミング機能を併せ持つことができる。このようなマスカラ塗布具１０は、高粘度のマスカラ薬剤の塗布に時に適したものとなる。
【００４０】
以上説明したように、角速度が１〜１０rad/secにtanδのピーク値を有する非ニュートン流体性を示すマスカラ薬剤を収容した容器と、該マスカラ薬剤中に塗布部が浸漬されているマスカラ塗布具とを備えたマスカラ化粧用具であって、前記マスカラ塗布具の前記塗布部は塗布部軸とクシ歯とから構成され、前記クシ歯は、ショア硬さＡが４５〜８５であるエラストマーで構成されており、且つ環状片と突出片が一体で形成されているマスカラ化粧用具を用いることにより、まつげを複数本きれいにまとめることができ、その状態でまつげの根元よりボリュームを付与することができる。特に、マスカラ薬剤によってまつ毛を複数本まとめてかつ保持量を多くしても、ダマが発生しにくく、また該薬剤のボタ付きが起こりにくい。また、まつ毛に対してやさしい梳きの感触を与えることができる。
【実施例】
【００４１】
以下、実施例により本発明を更に詳細に説明する。しかしながら本発明の範囲はかかる実施例に制限されるものではない。
【００４２】
〔実施例１〕
以下の表１に示す配合Ａ成分を均一に撹拌混合して、油中水型乳化組成物のマスカラ薬剤を調製した。マスカラ薬剤の２５℃における液物性は粘度が290000mPa・sであり、図６に示す非ニュートン流体性（角速度が１〜１０rad/secにtanδのピーク値を有する）を示した。
【００４３】
【表１】
2006305190.tif 000003
【００４４】
マスカラ薬剤の調製とは別に、図１ないし図３に示す環状片と突出片が一体で形成されているマスカラ塗布具を製作した。ポリブチレンテレフタレートを用いて塗布棒を射出成形した。得られた塗布棒に対して、ポリエステルエラストマーを用いてインサート成形を行い、塗布ヘッドを形成した。ポリエステルエラストマーはショア硬さが７０のものであった。ポリエステルエラストマーにおけるハードセグメントは、テレフタル酸とブチレングリコールとのエステル結合を有していた。ソフトセグメントは、ポリテトラメチレンエーテルグリコールを含む脂肪族ポリエーテルを有していた。
【００４５】
塗布棒先端芯棒１１Ａの外径ａ（図３参照）は１．７５ｍｍ、塗布部軸２１の外径ｂは２．３ｍｍ、環状片２２の外径ｃは２．９５ｍｍ、突出片２３の外径ｄは６．０ｍｍであった。塗布部軸２１の外径に接する環状片２２の軸方向厚みｅは０．４ｍｍ、突出片２３の自由端の軸方向厚みｆは０．３ｍｍ、クシ歯２０（環状片２２及び突出片２３）のピッチｐは０．８ｍｍであった。
【００４６】
マスカラ化粧用具は以下の構成からなる。マスカラ薬剤を図５に示す容器内に充填し、更に該容器内にマスカラ塗布具の塗布部を浸漬した。マスカラ塗布具は、その塗布棒の後端部を、容器の蓋を兼ねるキャップ部材に固着した。容器には、開口を有するしごき弁が取り付けられており、該開口の直径は４．６ｍｍであった。
【００４７】
〔実施例２〕
マスカラ塗布具の塗布部のエラストマーとして、ショア硬さが８０であるポリウレタンエラストマーを使用する以外は実施例１と同様とした。ポリウレタンエラストマーにおけるハードセグメントは、ジフェニルメタンジイソシアネート由来のものであった。ソフトセグメントは、ε−カプロラクトン型ポリエステルポリオール由来のものであった。
【００４８】
〔実施例３〕
マスカラ塗布具の塗布部のエラストマーとして、ショア硬さが６０であるポリエステルエラストマーを使用する以外は実施例１と同様とした。
【００４９】
〔比較例１〕
マスカラ塗布具の塗布部をナイロン毛からなるスクリューブラシから構成した以外は実施例１と同様とした。
【００５０】
〔比較例２〕
マスカラ塗布具の塗布部のエラストマーとして、ショア硬さが１１０であるポリエステルエラストマーを使用する以外は実施例１と同様とした。
【００５１】
〔比較例３〕
マスカラ塗布具の塗布部のショア硬さを４０とするポリエステルエラストマーを使用する以外は実施例１と同様とした。
【００５２】
〔比較例４〕
表１に示す配合Ｂのマスカラ薬剤を用いた以外は比較例１と同様とした。マスカラ薬剤の２５℃における液物性は粘度が270000mPa・sであり、図６に示す非ニュートン流体性（角速度が１〜１０rad/secにtanδのピーク値を有する）を示した。
【００５３】
〔比較例５〕
表１に示す配合Ｂのマスカラ薬剤を用いた以外は比較例２と同様とした。
【００５４】
〔比較例６〕
表１に示す配合Ｂのマスカラ薬剤を用いた以外は実施例２と同様とした。
【００５５】
〔比較例７〕
表１に示す配合Ｂのマスカラ薬剤を用いた以外は実施例１と同様とした。
【００５６】
〔比較例８〕
表１に示す配合Ｂのマスカラ薬剤を用いた以外は実施例３と同様とした。
【００５７】
〔比較例９〕
表１に示す配合Ｂを用いたマスカラ薬剤以外は比較例３と同様とした。
【００５８】
〔評価〕
前記実施例１〜３及び比較例１〜９について、「ボリューム感」、「まつ毛のまとまり感」、「ダマの発生」「カール力」を評価項目として、２０人の女性パネラーにて実使用評価を実施し、塗布後のまつ毛の状態を以下の基準で評価した。結果を表２に示す。
【００５９】
〔まつ毛のボリューム感〕
使用後のまつ毛のボリューム感について、聞き取り調査を行い下記４段階で評価した。
◎：塗布後のまつ毛の状態について、「ボリューム感がある」と実感した人が２０人中１５以上いた場合
○：塗布後のまつ毛の状態について、「ボリューム感がある」と実感した人が２０人中１０人以上１４人以下の場合
△：塗布後のまつ毛の状態について、「ボリューム感がある」と実感した人が２０人中５人以上９人以下の場合
×：塗布後のまつ毛の状態について、「ボリューム感がある」と実感した人が２０人中４人以下の場合
【００６０】
〔まつ毛のまとまり感〕
まつ毛のまとまり感については、使用後のまつ毛の状態が、複数本きれいにまとまっているかどうかについて、聞き取り調査を行い下記４段階で評価した。
◎：塗布後のまつ毛の状態について、「複数本のまつ毛がきれいにまとまっている」と実感した人が２０人中１５人以上いた場合
○：塗布後のまつ毛の状態について、「複数本のまつ毛がきれいにまとまっている」と実感した人が２０人中１０人以上１４人以下の場合
△：塗布後のまつ毛の状態について、「複数本のまつ毛がきれいにまとまっている」と実感した人が２０人中５人以上９人以下の場合
×：塗布後のまつ毛の状態について、「複数本のまつ毛がきれいにまとまっている」と実感した人が２０人中４人以下の場合
【００６１】
〔ダマの発生〕
使用後のまつ毛の状態で、ダマが発生しているかどうかについて、聞き取り調査を行い下記４段階で評価した。
◎：塗布後のまつ毛の状態で、「ダマの発生が気になる」と実感した人が２０人中４人以下の場合
○：塗布後のまつ毛の状態で、「ダマの発生が気になる」と実感した人が２０人中５人以上８人以下の場合
△：塗布後のまつ毛の状態で、「ダマの発生が気になる」と実感した人が２０人中９人以上１２人以下いた場合
×：塗布後のまつ毛の状態について、「ダマの発生が気になる」と実感した人が２０人中１３人以上いた場合
【００６２】
〔カール力〕
使用後のまつ毛のカール力について、聞き取り調査を行い下記４段階で評価した。
◎：塗布後のまつ毛の状態について、「カール力がある」と実感した人が２０人中１５人以上いた場合
○：塗布後のまつ毛の状態について、「カール力がある」と実感した人が２０人中１０人以上１４人以下の場合
△：塗布後のまつ毛の状態について、「カール力がある」と実感した人が２０人中５人以上９人以下の場合
×：塗布後のまつ毛の状態について、「カール力がある」と実感した人が４人以下の場合
【００６３】
【表２】
2006305190.tif 000004
【００６４】
表２に示す結果から明らかなように、実施例１〜３では、まつげを複数本きれいにまとめることができ、まつ毛に十分なボリューム感が付与されることが判る。また、ダマの発生も少ない。これに対して比較例では、「ボリューム感」、「まつ毛のまとまり感」、「ダマの発生」「カール力」のいずれかが劣るものであった。
【図面の簡単な説明】
【００６５】
【図１】本発明のマスカラ塗布具の一実施形態を示す正面図である。
【図２】図１のII−II線に沿う断面図（正面視）である。
【図３】図２のIII−III線に沿う断面図である。
【図４】図１に示すマスカラ塗布具の使用状態を示す模式図である。
【図５】図１に示すマスカラ塗布具を備えたマスカラ化粧用具を示す模式図である。
【図６】実施例及び比較例で用いたマスカラ薬剤の粘弾性測定における角速度とtanδとの関係を示すグラフである。
【符号の説明】
【００６６】
１０  マスカラ塗布具
１１  塗布棒
１１Ａ  塗布棒先端芯棒
１２  塗布ヘッド（塗布部）
２０  クシ歯
２１  塗布部軸
２２  環状片
２３  突出片
３０  マスカラ薬剤
３１  容器
３２  キャップ部材
３３  マスカラ化粧用具
３４  しごき部材
【図２】
2006305190.tif 000005
【図６】
2006305190.tif 000006
【図１】
2006305190.tif 000007
【図３】
2006305190.tif 000008
【図４】
2006305190.tif 000009
【図５】
2006305190.tif 000010